(57)【特許請求の範囲】
【請求項１】
二つのボディケースを合わせ固定した外装ケースを有し、その外装ケースの前端寄りに上方から下方へループピンの連続したマガジンを送る送り機構を備えたループピンの装填部を備え、前記外装ケースにはグリップ部とそのグリップ部に出入可能とされた枢動レバーを備え、その枢動レバーには一定方向に附勢されたリンクの下端側が連結され、そのリンクの上端側には貫通されたガイドバーに沿って前後にスライドするピストンホルダーを備え、前記ループピンの挿込部を押圧する押圧部を形成し、先端から中程にかけて上面にスリットを形成したパイプ状のピストンバーをそのピストンホルダーに取り付け、そのピストンバーにはパイプ状のガイドを備え、前記したピストンバーの後端をＬ字状に屈曲させてピストンホルダーの受穴に取り付けるとともに、前記したリンクの下端側には長孔を形成し、枢動レバーに設けられたピンと係合されているものとし、リンクの上端部分には長円状のカム孔を形成し、そのカム孔は前記ピストンホルダーの側壁面に突設されたピンと係合され、かつ、このカム孔の中程には、枢動レバーを引き終えた際にクリック感を出すため前方側を鈍角に下降曲成したカム溝と係合されるラックカラーの頭部が係合されているとともに、前記したラックカラーにはクランク状としたラックリンクの一方の支持杆が嵌着されるとともに、このラックリンクの他方の支持杆はラックギアを形成したラックギアプレートに止着固定され、リンクの動きをラックリンクを介してこのラックギアプレートに伝達するものとし、このラックギアプレートはループピンの受部を送るための送りギア群の中径サイズとされた第二ギアと噛合され、この第二ギアは小径の第三ギアと噛合され、この第三ギアと同軸の大径の第一ギアを駆動させ、この第一ギアは片面にラックを形成したフレキシブルなベルト体と噛合され、このベルト体はループピンの受部を先端で押し進め、この動作は前記ラックギアの動きをギア比でスピードアップさせ、ループピンの挿込部の進行と時間差をもってなすタグ吊持用のループピン装着具において、前記した第二ギアの下面には二つの係合突子が突設され、この係合突子の一つは第二ギアに近接して設けられたローターに突出された一方の係合アームと係合され、このローターに回転力を伝達し、このローターから他方向に延設された係合板は先端に係合突子を形成し、この係合突子が前記した装填部においてループピンの連続したマガジンを送るフックを作動させるフィードバーと係合され、このフィードバーを駆動させることを特徴とするタグ吊持用ループピン装着具。
【請求項２】
前記した外装ケースの先端にはＪ字状とし、そのＪ字状に沿ってループピンの受部が通る溝及び紐部をガイドするスリット溝を前記した受部が通る溝と連通させた形成としたループピンの受部ガイドを備え、前記したスリット溝は先端付近において、ループピンの受部の飛び出しを防止する略くの字状とした曲成部を形成してあることを特徴とする請求項１に記載のタグ吊持用のループピン装着具。
【請求項３】
前記した受部ガイドはベースとアッパーを積合して形成され、そのベースの基端にはボディケースに止着される取り付けプレートが一体に備えられ、この取り付けプレートは、前記したループピンの受部が通る溝が前記したベルトに対応するように取り付けられ、この取り付けプレート上には、この取り付けプレートを抑止する抑止プレートが重合されてネジで止着され、この抑止プレートの一側縁には前記したピストンバーがスライドすることをガイドする断面弧状の溝が形成され、この溝の突端にはループピンが挿通されるタグの透孔が掛け吊りされて保持されるフックが形成されていることを特徴とする請求項２に記載のタグ吊持用ループピン装着具。
【発明の詳細な説明】
【０００１】
【発明の属する技術分野】
本発明はタグ吊持用のループピン装着具、特に商品に価格や品質表示をしたタグを吊持させるループピンをワンタッチで装着させるループピン装着具に関する。
【０００２】
【発明の背景】
従来より、前記したループピンの存在は公知のものとなっており、その基本的な構造は延伸加工され、適度な弾性と強靭性を有するプラスチック線材の一端に係合部を形成した挿込部を、他端にはその挿込部が挿し込まれて前記した係合部と係合することで抜け止めをする抜け止め部を内部に形成した筒状の受部が各々一体に備えられたものとなっている。
【０００３】
このループピンは元来、単品のバラ製品として製造され、使用に供されていたもので、商品へのタグの吊持装着作業は一本づつ手作業によってなされていたため、作業能率が悪く時間がかかるうえ、常時指先を酷使することから、作業者には腱鞘炎等の労災が生じてしまうことが多かった。
【０００４】
係る点から近時は、この作業を能率アップし、時間短縮を図り、作業者の負担を軽減するため、レバーを握るワンタッチ操作で装着作業を実行できるループピン装着具が開発され、同時に、この作業を連続的になし得るようにループピンを並列的に基材に備え、前記したループピン装着具への装填が可能とされた連続体（マガジン）も開発された。
【０００５】
【発明が解決しようとする課題】
しかしながら、現状におけるループピン装着具（例えば出願人が開陳した特願平７−１４２６８９号参照）は内蔵される機構の部品構成によって全体サイズが厚くなり、また、装填して送るループピンの精度、確実性に不安があり、さらに、マガジンとしてのループピンを使用した場合の基材からのカッティングにも不安が残るものとなっている。
【０００６】
【発明の目的】
そこで、本発明は係る現状の実情、問題点に着目してなされたもので、かかる問題点を解消して、より製品を小型化し、また作業精度の向上を図ったタグ吊持用のループピン装着具を提供することを目的としている。
【０００７】
【課題を解決するための手段】
この目的を達成するために、本発明に係るタグ吊持用のループピン装着具は二つのボディケースを合わせ固定した外装ケースを有し、その外装ケースの前端寄りに上方から下方へループピンの連続したマガジンを送る送り機構を備えたループピンの装填部を備え、前記外装ケースにはグリップ部とそのグリップ部に出入可能とされた枢動レバーを備え、その枢動レバーには一定方向に附勢されたリンクの下端側が連結され、そのリンクの上端側には貫通されたガイドバーに沿って前後にスライドするピストンホルダーを備え、前記ループピンの挿込部を押圧する押圧部を形成し、先端から中程にかけて上面にスリットを形成したパイプ状のピストンバーをそのピストンホルダーに取り付け、そのピストンバーにはパイプ状のガイドを備え、前記したピストンバーの後端をＬ字状に屈曲させてピストンホルダーの受穴に取り付けるとともに、前記したリンクの下端側には長孔を形成し、枢動レバーに設けられたピンと係合されているものとし、リンクの上端部分には長円状のカム孔を形成し、そのカム孔は前記ピストンホルダーの側壁面に突設されたピンと係合され、かつ、このカム孔の中程には、枢動レバーを引き終えた際にクリック感を出すため前方側を鈍角に下降曲成したカム溝と係合されるラックカラーの頭部が係合されているとともに、前記したラックカラーにはクランク状としたラックリンクの一方の支持杆が嵌着されるとともに、このラックリンクの他方の支持杆はラックギアを形成したラックギアプレートに止着固定され、リンクの動きをラックリンクを介してこのラックギアプレートに伝達するものとし、このラックギアプレートはループピンの受部を送るための送りギア群の中径サイズとされた第二ギアと噛合され、この第二ギアは小径の第三ギアと噛合され、この第三ギアと同軸の大径の第一ギアを駆動させ、この第一ギアは片面にラックを形成したフレキシブルなベルト体と噛合され、このベルト体はループピンの受部を先端で押し進め、この動作は前記ラックギアの動きをギア比でスピードアップさせ、ループピンの挿込部の進行と時間差をもってなすタグ吊持用のループピン装着具において、前記した第二ギアの下面には二つの係合突子が突設され、この係合突子の一つは第二ギアに近接して設けられたローターに突出された一方の係合アームと係合され、このローターに回転力を伝達し、このローターから他方向に延設された係合板は先端に係合突子を形成し、この係合突子が前記した装填部においてループピンの連続したマガジンを送るフックを作動させるフィードバーと係合され、このフィードバーを駆動させることを特徴とし、前記した外装ケースの先端にはＪ字状とし、そのＪ字状に沿ってループピンの受部が通る溝及び紐部をガイドするスリット溝を前記した受部が通る溝と連通させた形成としたループピンの受部ガイドを備え、前記したスリット溝は先端付近において、ループピンの受部の飛び出しを防止する略くの字状とした曲成部を形成してあることを特徴とし、前記した受部ガイドはベースとアッパーを積合して形成され、そのベースの基端にはボディケースに止着される取り付けプレートが一体に備えられ、この取り付けプレートは、前記したループピンの受部が通る溝が前記したベルトに対応するように取り付けられ、この取り付けプレート上には、この取り付けプレートを抑止する抑止プレートが重合されてネジで止着され、この抑止プレートの一側縁には前記したピストンバーがスライドすることをガイドする断面弧状の溝が形成され、この溝の突端にはループピンが挿通されるタグの透孔が掛け吊りされて保持されるフックが形成されていることを特徴としている。
【０００８】
【作用】
係る構成としたことによって製品の後部を薄く小型化することができ、装填されるループピンの送りも正確で精度の高いものとなり、そのループピンをマガジンとした場合の切り離しがスムーズとなり、さらに受部ガイドからループピンの受部の飛び出しを防止することができるものとなっている。
【０００９】
【発明の実施の形態】
次に、本発明の好ましい実施の形態を図面を参照して説明する。図１は一方側のボディケースにおける機構を示す側面図、図２は同じく正面図、図３は同じく平面図、図４は同じく部分拡大図、図５は他方側のボディケースにおける機構を示す側面図、図６は同じく平面図、図７は同じく正面図、図８は同じく先端部分を示す図、図９は機構を部分的に拡大した側面図、図１０は同じく平面図、図１１は同じく正面図、図１２は受部ガイドの平面図、図１３は同じく側面図、図１４は同じく端面図、図１５は同じく正面図、図１６は同じく先端端面図、図１７は同じく背面図、図１８は外観側面図、図１９は同じく平面図、図２０は同じく正面図、図２１はカバープレートの正面図、図２２は同じく側面図、図２３は同じく背面図、図２４はピンガイドを示す正面図、図２５は同じく底面図、図２６は同じく側面図、図２７は同じく切り起こし部の先端を示す図、図２８は補助カバーを示す正面図、図２９は同じく平面図、図３０は同じく右側面図、図３１は同じく左側面図、図３２はローターを示す平面図、図３３は同じく正面図、図３４は同じく側面図、図３５は第二ギアを示す側面図、図３６は同じく部分拡大図、図３７は同じく正面図、図３８は同じく平面図、図３９はラックリンクを示す正面図、図４０は同じく平面図、図４１はラックギアを示す正面図、図４２は同じく平面図、図４３は同じく側面図、図４４はピストンバーとピストンホルダーを示す側面図、図４５は同じく平面図、図４６は同じく正面図、図４７はベルト体の側面図、図４８は抑止プレートの平面図、図４９は同じく側面図である。
【００１０】
これらの図にあって１は一方側のボディケースを示し、このボディケース１に他方側のボディケース２を合わせ、ネジ止めすることで外装ケースが形成される。このボディケース１には前方寄りのピン３を支点として枢動レバー４が、前方を開放したグリップ部５に対し出入可能とされている。なお、図中６はその枢動レバー４の下端面と摺接する枢動ガイドである。
【００１１】
また、図中７はグリップ部５内において、一端を前記した枢動ガイド６に固着されたコイルスプリング８で引張附勢され、軸９を支点として枢動可能とされたリンクであり、このリンク７の下端に形成された長孔７ａに枢動レバー４に設けられたピン４ａが係合されて、リンク７と枢動レバー４との連結がなされているもので、係る構造によって、コイルスプリング８の引張附勢力で枢動レバー４は常に前方へと附勢されている。
【００１２】
前記したリンク７の上端には、このリンク７の長さ方向に沿った長円状のカム孔７ｂが形成されており、このカム孔７ｂの上端部分は、通常ボディケース１の奥端寄りに位置しているピストンホルダー１０の側壁面に突設されたピン１０ａと係合され、枢動レバー４の操作によってリンク７を介して前後方向にスライド自在とされている。なお、このピストンホルダー１０には前後方向に貫通孔１０ｂが形成され、その貫通孔１０ｂにガイドバー１１が挿通状態でボディケース１に固定されたものとなっている。
【００１３】
さらに、前記したリンク７のカム孔７ｂの通常時における中程には後述するラックリンクの一方突起が嵌着されるラックカラー１２の頭部が係合され、このラックカラー１２は操作の最終段階でクリック感を出すため、前方側を鈍角に下降曲成したカム溝１３と係合されている。
【００１４】
また、前記したピストンホルダー１０の前方寄り上面に形成された受穴１０ｃにはピストンバー１４の後端がＬ字状に屈曲されて嵌合保持されている。このピストンバー１４はパイプ体として成形されており、その先端開口から中程近くまでの上面にスリット１４ａが形成されており、このスリット１４ａによってループピンの中間紐部分をガイドし、先端の開口縁でループピンの挿込部（雄部）の後端を押圧するものとなっている。なお、図中１５はこのピストンバー１４の摺動をガイドするパイプ状ガイドである。
【００１５】
さらに、図中１６は、ループピンマガジンの装填部１７に装填されるループピンマガジンを一本単位のピッチで、本実施の形態では上から下へ送るためのフィードバーで、このフィードバー１６は前記したピストンホルダー１０と連動される。このフィードバー１６の前端には送り作動部材１８が連接されており、この送り作動部材１８の先端上部には送りのためのフック１８ａが形成されている。
【００１６】
この送り作動部材１８のフック１８ａはラチェット１９と掛合しており、このラチェット１９はループピンマガジンと係合して送る送りギア２０と同軸回動するものとなっている。なお、図中２１はループピンマガジンから、単体としてのループピンに切断するためのカッターである。
【００１７】
また、図中２２はラチェット１９のストッパーであり、このストッパー１９は略くの字状に形成されて上端が爪状とされたラチェット１９との掛合部２２ａとされ、他端は先端をアール状とした、ループピンマガジンを装填部１７から取り外す際の解放用操作子２２ｂとされている。このストッパー２２は軸２３を支点として回動が可能とされており、この軸２３には弦巻バネ２４が取り付けられ、その弦巻バネ２４の一端は前記した送り作動部材１８の先端下面に当接されて上方への附勢をしてフック１８ａのラチェット１９への掛合を強制し、他端は爪部２２ａの背面に当接されて、爪部２２ａのラチェット１９への掛合を強制している。
【００１８】
前記した解放用操作子２２ｂは第一の解放部材２５の側壁と当接されている。この第一の解放部材２５はボディケース１の外面に設けられた第二の解放部材２６とピン２７にワンセットとされ、その第二の解放部材２６を外部操作することで連動するものとされている。第一の解放部材２５はピン２７を軸として回動可能となっており、その回動力で解放用操作子２２ｂを押し、爪部２２ａをラチェット１９から外すものとなる。
【００１９】
そして、図中２８はボディケース１の上部開口を覆うカバープレートであり、このカバープレート２８は上端に屈成部２８ａが形成されて、その屈成部２８ａ及び下端寄りに取り付け孔２８ｂ、２８ｂ…が設けられ、また、二箇所の矩形をした窓孔２８ｃ、２８ｃが形成されたものとなっている。
【００２０】
また、図中２９はピンガイドであり、このピンガイド２９は二箇所の係合フック２９ａ、２９ａを裏面に形成してあり、この係合フック２９ａ、２９ａを前記したカバープレート２８の窓孔２８ｃ、２８ｃに掛けることで取り付けられる。そして、このピンガイド２９の一側縁２９ｂは取り付け時に引っ掛かりをなくすため、テーパ状とされ、さらに、その一側縁２９ｂのコーナー部２９ｃはそのテーパ角度が一層小さくされている。このピストンガイド２９を取り付けることにより、ループピンにおける挿込部（雄部）が沿わされてピストンバー１４へのホールドがより確実とされる。
【００２１】
一方、他方側のボディケース２（サイドカバー）には主としてループピンの受部（雌部）側の送り機構が設けられている。まず、前記したリンク７のカム孔７ｂと係合されたラックカラー１２にラックリンク３０の一方の支持杆３０ａが嵌装されて取り付けられている。また、このラックリンク３０にはクランク状に、即ち、一方の支持杆３０ａとは直角の逆方向に第二の支持杆３０ｂが突設され、この第二の支持杆３０ｂはラックギア３１を片面に形成したラックギアプレート３１ａを貫通し、その突出した先端にＥリング３０ｃにより止着固定されている。即ち、このラックリンク３０によってリンク７の動きがラックギア３１を形成したラックギアプレート３１ａへ伝達されることになる。
【００２２】
また、前記したラックギアプレート３１ａは、前記したように片面に部分的にラックギア３１が形成され、略中央部位にラックリンク３０の第二の支持杆３０ｂが挿通される透孔３１ｂが形成されている（図４１〜４３参照）。
【００２３】
このラックギア３１はループピンの受部（雌部）を送るための送りギア群のうち、中径サイズとされた第二ギア３２と噛合されている。この第二ギア３２は小径の第三ギア３３と噛合され、この第三ギア３３と同軸とされた大径の第一ギア３４を駆動させる。また、前記した第二ギア３２は上面に断面弧状としたリング状のリブ３２ａが形成され、下面には回転軸３２ｂのほか、二つの係合突子３２ｃ、３２ｃが突設されている。
【００２４】
この係合突子３２ｃは、第二ギア３２に近接して設けられたローター３５に突出された一方の係合アーム３５ａと係合され、このローター３５に回転力を伝達する。そして、このローター３５から他方向に延設された係合板３５ｂはその先端に係合突子３５ｃが形成され、この係合突子３５ｃがループピンマガジンを送るフィードバー３６と係合され、このフィードバー３６を駆動させる。
【００２５】
また、図中３７はある程度のフレキシブル性を保有し、片面にラック３７ａを形成し、端部に取付用切欠部３７ｂを形成したベルト体で、このベルト体３７はループピンの受部（雌部）をその先端で押し進める作用をなし、第一ギア３４と前記ラック３７ａで噛合され、ラックギア３１の動きをギア比によってスピードアップして、挿込部（雄部）の進行と時間差をもって稼動される。なお、図中３８はループピンマガジンの送りのためのフックを示している。
【００２６】
一方、図中３９はＪ字状に曲成されたループピンの受部（雌部）ガイドであり、この受部ガイド３９はベース３９ａとアッパー３９ｂを積合し基端と先端をネジ４１、４１で締結して形成され、ループピンの受部が通る溝３９ｃ及び紐部をガイドするスリット溝３９ｄが構成され、基端近くは矩形状となっているが、先端近くは円形状の端面形状とされる。この受部ガイド３９はベース３９ａの基端側に一体に取付プレート４０が備えられ、前記したベルト体３７に溝３９ｃが対応するようボディケース２に止着される。
【００２７】
さらに、前記したループピンの紐部をガイドする（通過する）スリット溝３９ｄには先端付近において曲成部３９ｅを形成してあり、ループピンの受部（雌部）が飛び出してしまうことを防止している。
【００２８】
また、図中４２は前記した２１と対応するカッターを示しており、ループピンマガジンから単一品にカットされたループピンは挿込部（雄部）と受部（雌部）が前記した各々の機構で送られて、最終的に商品にタグを吊持した状態で、その挿込部が受部へ挿込まれてロックされることになる。そして、図中４３は補助カバーを示しており、この補助カバー４３は略Ｌ字状に形成された係合部４３ａを設け、受部ガイド３９のカバー４４に係合されて閉塞する。
【００２９】
さらに、前記した取付プレート４０上には抑止プレート４５が重合されてネジで止着される。この抑止プレート４５は一側縁に前記したピストンバー１４のスライドがガイドされる断面弧状の溝４５ａが形成されており、この溝４５ａの突端にはタグの透孔が掛け吊りされて保持されるフック４５ｂが形成されている。
【００３０】
【発明の効果】
本発明に係るタグ吊持用のループピン装着具は上述のように構成されている。そのために、従来品に比して製品の薄型化（小型化）が図れ、より正確なループピンの挿込部及び受部の送りが可能となり、ループピンをマガジンとした場合のカッティングも精度がよくなり、作業中にこの製品からループピンが外れてしまうこともなくなるものとなっている。
【図面の簡単な説明】
【図１】一方側のボディケースにおける機構を示す側面図である。
【図２】正面図である。
【図３】平面図である。
【図４】部分拡大図である。
【図５】他方側のボディケースにおける機構を示す側面図である。
【図６】平面図である。
【図７】正面図である。
【図８】先端部分を示す図である。
【図９】機構を部分的に拡大した側面図である。
【図１０】平面図である。
【図１１】正面図である。
【図１２】受部ガイドの平面図である。
【図１３】側面図である。
【図１４】端面図である。
【図１５】正面図である。
【図１６】先端端面図である。
【図１７】背面図である。
【図１８】外観側面図である。
【図１９】平面図である。
【図２０】正面図である。
【図２１】カバープレートの正面図である。
【図２２】側面図である。
【図２３】背面図である。
【図２４】ピンガイドを示す正面図である。
【図２５】底面図である。
【図２６】側面図である。
【図２７】切り起こし部の先端を示す図である。
【図２８】補助カバーを示す正面図である。
【図２９】平面図である。
【図３０】右側面図である。
【図３１】左側面図である。
【図３２】ローターを示す平面図である。
【図３３】正面図である。
【図３４】側面図である。
【図３５】第二ギアを示す側面図である。
【図３６】部分拡大図である。
【図３７】正面図である。
【図３８】平面図である。
【図３９】ラックリンクを示す正面図である。
【図４０】平面図である。
【図４１】ラックギアを示す正面図である。
【図４２】平面図である。
【図４３】側面図である。
【図４４】ピストンバーとピストンホルダーを示す側面図である。
【図４５】平面図である。
【図４６】正面図である。
【図４７】ベルト体の側面図である。
【図４８】抑止プレートの平面図である。
【図４９】側面図である。
【符号の説明】
１  ボディケース
２  ボディケース
３  ピン
４  枢動レバー
５  グリップ部
６  枢動ガイド
７  リンク
７ｂカム孔
８  コイルスプリング
９  軸
１０  ピストンホルダー
１１  ガイドバー
１２  ラックカラー
１３  カム溝
１４  ピストンバー
１４ａ  スリット
１５  ガイド
１６  フィードバー
１７  装填部
１８  送り作動部材
１９  ラチェット
２０  送りギア
２１  カッター
２２  ストッパー
２２ｂ  解放用操作子
２３  軸
２４  弦巻バネ
２５  第一の解放部材
２６  第二の解放部材
２７  ピン
２８  カバープレート
２９  ピンガイド
３０  ラックリンク
３１  ラックギア
３１ａ  ラックギアプレート
３２  第二ギア
３２ｃ  係合突子
３３  第三ギア
３４  第一ギア
３５  ローター
３６  フィードバー
３７  ベルト体
３８  フック
３９  受部ガイド
３９ｃ  溝
３９ｄ  スリット溝
３９ｅ  曲成部
４０  取付プレート
４１  ネジ
４２  カッター
４３  補助カバー
４４  カバー
４５  抑止プレート
４５ａ  溝
４５ｂ  フック
【図１】
0003969604.tif 000002
【図２】
0003969604.tif 000003
【図３】
0003969604.tif 000004
【図４】
0003969604.tif 000005
【図５】
0003969604.tif 000006
【図６】
0003969604.tif 000007
【図７】
0003969604.tif 000008
【図８】
0003969604.tif 000009
【図９】
0003969604.tif 000010
【図１０】
0003969604.tif 000011
【図１１】
0003969604.tif 000012
【図１２】
0003969604.tif 000013
【図１３】
0003969604.tif 000014
【図１４】
0003969604.tif 000015
【図１５】
0003969604.tif 000016
【図１６】
0003969604.tif 000017
【図１７】
0003969604.tif 000018
【図１８】
0003969604.tif 000019
【図１９】
0003969604.tif 000020
【図２０】
0003969604.tif 000021
【図２１】
0003969604.tif 000022
【図２２】
0003969604.tif 000023
【図２３】
0003969604.tif 000024
【図２４】
0003969604.tif 000025
【図２５】
0003969604.tif 000026
【図２６】
0003969604.tif 000027
【図２７】
0003969604.tif 000028
【図２８】
0003969604.tif 000029
【図２９】
0003969604.tif 000030
【図３０】
0003969604.tif 000031
【図３１】
0003969604.tif 000032
【図３２】
0003969604.tif 000033
【図３３】
0003969604.tif 000034
【図３４】
0003969604.tif 000035
【図３５】
0003969604.tif 000036
【図３６】
0003969604.tif 000037
【図３７】
0003969604.tif 000038
【図３８】
0003969604.tif 000039
【図３９】
0003969604.tif 000040
【図４０】
0003969604.tif 000041
【図４１】
0003969604.tif 000042
【図４２】
0003969604.tif 000043
【図４３】
0003969604.tif 000044
【図４４】
0003969604.tif 000045
【図４５】
0003969604.tif 000046
【図４６】
0003969604.tif 000047
【図４７】
0003969604.tif 000048
【図４８】
0003969604.tif 000049
【図４９】
0003969604.tif 000050